(57)【要約】【課題】構造を簡略化すると共に設備全体の小型化を図り、専有面積の減少、運搬や現地での据付作業、配線作業等を容易にする。【解決手段】ネットワークセンター側の光ファイバーケーブルを分岐し、スイッチング装置及びメディアコンバータ等の各種通信機器を介して光ファイバーケーブルを利用者宅へ引き込むためのＦＴＴＨ用小型キュービクルに関する。断熱材を収納した二重構造の筐体内に、前記通信機器３２〜３４と、ネットワークセンター側及び利用者宅側の光ファイバーケーブルと前記通信機器側の光ファイバーコードとを融着接続するための融着ユニット５４と、筐体内部の温度を前記通信機器の使用温度範囲に制御するための一体型の空調機２０とを収容した。【選択図】　図１
0003097590.tif 000002
【実用新案登録請求の範囲】
【請求項１】
ネットワークセンター側の光ファイバーケーブルを分岐し、スイッチング装置及びメディアコンバータ等の各種通信機器を介して光ファイバーケーブルを利用者宅へ引き込むためのＦＴＴＨ用小型キュービクルにおいて、
断熱材を収納した二重構造の筐体内に、
前記通信機器と、
ネットワークセンター側及び利用者宅側の光ファイバーケーブルと前記通信機器側の光ファイバーコードとを融着接続するための融着ユニットと、
前記筐体内部の温度を前記通信機器の使用温度範囲に制御するための一体型の空調機と、
を収容したことを特徴とするＦＴＴＨ用小型キュービクル。
【請求項２】
請求項１記載のＦＴＴＨ用小型キュービクルにおいて、
火災報知用の温度センサ及び室温監視用の温度センサを備えたことを特徴とするＦＴＴＨ用小型キュービクル。
【請求項３】
請求項１または２に記載したＦＴＴＨ用小型キュービクルにおいて、
無停電電源装置及びこの電源装置により充電されるバッテリーを備えたことを特徴とするＦＴＴＨ用小型キュービクル。
【考案の詳細な説明】
【０００１】
【考案の属する技術分野】
本考案は、いわゆるブロードバンド用の通信回線として光ファイバーケーブルを各家庭やマンション等の集合住宅、企業の事業所等に引き込むためのＦＴＴＨ（Ｆｉｂｅｒ　ｔｏ　ｔｈｅ　ｈｏｍｅ）用小型キュービクルに関するものである。
【０００２】
【従来の技術】
近年、高速かつ大容量の通信回線である光ファイバーケーブルを各家庭や集合住宅等の利用者宅へ直接引き込むＦＴＴＨサービスが注目されており、そのサービスエリアも次第に広がりつつある。
周知のように、ＦＴＴＨでは、ネットワークセンターから中央拠点、中間拠点等を介して架設された光ファイバーケーブルを分岐して利用者宅に個別に引き込むため、メディアコンバータやギガビットスイッチ等のスイッチング装置、無停電電源装置、温度管理用の空調設備等を備えたキュービクルを分散拠点として設けることが一般に行われている。
【０００３】
【考案が解決しようとする課題】
しかるに、従来、この種の分散拠点用のキュービクルとして提供されているものは、概して大型であるため専有面積が大きく、広い設置場所が必要であると共に、運搬や現地での据付作業、配線作業に多くの労力や手間がかかっていた。
更に、キュービクル内の温度を各種通信機器の使用温度範囲に維持するために、室内機と室外機とが分割された業務用空調機を使用しているため、その配線や配管作業も極めて煩雑であった。
【０００４】
そこで本考案は、構造を簡略化すると共に設備全体の小型化を図り、専有面積の減少、運搬や現地での据付作業、配線作業等を容易にしたＦＴＴＨ用小型キュービクルを提供しようとするものである。
【０００５】
【課題を解決するための手段】
上記課題を解決するため、請求項１に記載した小型キュービクルは、ネットワークセンター側の光ファイバーケーブルを分岐し、スイッチング装置及びメディアコンバータ等の各種通信機器を介して光ファイバーケーブルを利用者宅へ引き込むためのＦＴＴＨ用小型キュービクルにおいて、
断熱材を収納した二重構造の筐体内に、
前記通信機器と、
ネットワークセンター側及び利用者宅側の光ファイバーケーブルと前記通信機器側の光ファイバーコードとを融着接続するための融着ユニットと、
前記筐体内部の温度を前記通信機器の使用温度範囲に制御するための一体型の空調機と、
を収容したものである。
【０００６】
請求項２に記載した小型キュービクルは、上記請求項１に記載したキュービクルにおいて、火災報知用の温度センサ及び室温監視用の温度センサをキュービクル内に備えたものである。
【０００７】
請求項３に記載した小型キュービクルは、上記請求項１または２に記載したキュービクルにおいて、非常用電源として、無停電電源装置及びこの電源装置により充電されるバッテリーを備えたものである。
【０００８】
【考案の実施の形態】
以下、図に沿って本考案の実施形態を説明する。
まず、図１はこの実施形態の外観図であり、（ａ）は左側面図、（ｂ）は正面図、（ｃ）は右側面図である。
【０００９】
これらの図において、キュービクルの筐体は、背板１１、側板１２，１３、底板１４、天板１５、観音開きの扉板１６，１７を備え、これらの各部材は何れも一対の外板の間に断熱材を収納した断熱二重構造になっている。なお、天板１５は後方が低くなっており、このキュービクルを屋外に設置した場合に雨水が背面側に落下するように配慮されている。
【００１０】
また、一方の側板１３には、空気の吹出口及び吸込口をキュービクル室内に向けた室内機・室外機一体型の空調機２０が取り付けられており、その上方には、外部からネットワークセンター側及び利用者宅側の光ファイバーケーブルを引き込むためのケーブル導入口１８が設けられている。なお、２３は空調機２０の通気孔である。
全体的な大きさとしては、例えば高さが２ｍ弱、横幅が１．３ｍ、奥行が０．７５ｍ程度であり、各種自動販売機並みのコンパクトな外形となっている。
【００１１】
次に、図２はこの実施形態の内観図であり、（ａ）は正面図、（ｂ）は右側面図である。
これらの図において、３１は枠状のフレームであり、その内部には、ギガビットスイッチ３２等のスイッチング装置や集合型のメディアコンバータ３３、宅内型のメディアコンバータ３４等の各種通信機器が複数台実装されている。なお、宅内型のメディアコンバータ３４は利用者宅内での動作状況をキュービクル内で模擬するためのものであり、本考案に必ずしも必要不可欠ではない。
【００１２】
キュービクルの背板１１には、上記通信機器に電源を供給するための多数のコンセントを備えたコンセントバー３５，３６が取り付けられている。また、キュービクル内の下方には、非常用電源として、無停電電源装置３７及びこの電源装置３７により充電されるバッテリー３８が配置されている。
【００１３】
側板１２の内面には分電盤３９が取り付けられ、前記コンセントバー３５，３６に対する給電用の配線が予め行われている。また、側板１２の内面には、天板１５の内面に配置された火災報知用の温度センサ４１や側板１２の内面に配置された室温監視用の温度センサ４２等に接続される警報端子盤４０が取り付けられている。この警報端子盤４０は、各センサ４１，４２の出力信号を接点信号に変換して外部に伝送したり、キュービクルの設置場所において警報を発するために用いられる。
更に、天板１５の内面前方には、作業用の照明装置として蛍光灯４４が設置されている。
【００１４】
前記ケーブル挿入口１８からキュービクル内部に導入されたネットワークセンター側の光ファイバーケーブル５１は、ケーブル固定金具５２及びテンションメンバー固定金具５３を介して融着ユニット５４に引き込まれ、この融着ユニット５４内で、前述のギガビットスイッチ３２等の通信機器からの光ファイバーコードと心線同士が融着接続される。ここでは、煩雑になるのを避けるために、融着ユニット５４と通信機器との間の光ファイバーコードや通信機器相互間の配線は図示を省略してある。
なお、フレーム３１の側方には、光ファイバーコード等を適宜、把持するための把持具４３が固定されている。
【００１５】
通信機器相互間では、ギガビットスイッチ３２とメディアコンバータ３３との間で電気的な配線が行われ、メディアコンバータ３３に接続された光ファイバーコードが再び前記融着ユニット５４に導入されて、利用者側の光ファイバーケーブル５１と融着接続される。この光ファイバーケーブル５１は、前記ケーブル挿入口１８を介して外部に導出され、クロージャ等を介して各利用者宅まで架設されるものである。
【００１６】
空調機２０は、キュービクルの室温を各通信機器の使用温度範囲に保つためのもので、室内機及び室外機を一体化したタイプであり、図２（ａ）に矢印で示す如く、前面の吹出口２１からの風が一方の側板１２へ向かうように配置され、その気流が各通信機器の間を通過して空調機２０側へ戻り、吹出口２１の下方の吸込口２２へ吸い込まれるようになっている。
なお、空調機２０の配置は図示例に何ら限定されるものではないが、このような配置とすることで、キュービクル内の空調を効率よく行い、また、通信機器の配線作業や点検作業に邪魔になることもないものである。
【００１７】
【考案の効果】
以上のように本考案によれば、断熱二重構造の筐体内にメディアコンバータやギガビットスイッチ等の各種通信機器、融着ユニット、室内機・室外機一体型の空調機、無停電電源装置、温度センサ等を収容し、その全体をコンパクトに形成したものであるから、専有面積が少なくて済み、路上や集合住宅の敷地内、事業所の敷地内などに設置した場合でも通行の邪魔にならないキュービクルを提供することができる。
また、一体型の空調機を内蔵したことによってキュービクル外部への突起物もなく、据付工事や配線・配管工事が容易であると共に、キュービクル内の効率的な空調によって通信機器の使用環境を常時、適温に保つことが可能である。
更に、分電盤やコンセント等の電源供給設備を予め作り付けておくことで、現地での配線作業等を簡略化でき、据付工事の迅速化を図ることができる。
【図面の簡単な説明】
【図１】本考案の実施形態を示す外観図であり、（ａ）は左側面図、（ｂ）は正面図、（ｃ）は右側面図である。
【図２】本考案の実施形態を示す内観図であり、（ａ）は正面図、（ｂ）は右側面図である。
【符号の説明】
１１：背板１１
１２，１３：側板
１４：底板
１５：天板
１６，１７：扉板
１８：ケーブル導入口
２０：空調機
２１：吹出口
２２：吸込口
２３：通気孔
３１：フレーム
３２：ギガビットスイッチ
３３，３４：メディアコンバータ
３５，３６：コンセントバー
３７：無停電電源装置
３８：バッテリー
３９：分電盤
４０：警報端子盤
４１，４２：温度センサ
４３：把持具
４４：蛍光灯
５１：光ファイバーケーブル
５２：ケーブル固定金具
５３：テンションメンバー固定金具
５４：融着ユニット
【図１】
0003097590.tif 000003
【図２】
0003097590.tif 000004